(57)【要約】【課題】強度を維持しつつ、集水槽の清掃や点検を容易に行うことができる雨水貯留装置の提供を図る。【解決手段】土壌１１を掘削して得られた設置穴１２の底面に配設され、複数の箱状ユニット１７，１８を互いに組み合わせた集水槽１４からなる雨水貯留装置であって、前記箱状ユニット１７，１８の側面１９，２０に、作業員が通過可能な大きさの点検穴２６を設けている。【選択図】      図１
2004263519.tif 000002
【特許請求の範囲】
【請求項１】
地盤を掘削して得られた設置穴内に配設され、複数の箱状ユニットを互いに組み合わせた集水槽からなる雨水貯留装置であって、
前記箱状ユニットの側面に、作業員が通過可能な大きさの点検穴を設けたことを特徴とする雨水貯留装置。
【請求項２】
前記点検穴は、箱状ユニットの側面の下部に設けられたことを特徴とする請求項１に記載の雨水貯留装置。
【請求項３】
前記複数の箱状ユニットのうち、一部の箱状ユニットの側面には前記点検穴を設ける一方、他の箱状ユニットの側面には、この点検穴よりも小さな通水穴を設けたことを特徴とする請求項１又は２に記載の雨水貯留装置。
【請求項４】
前記雨水貯留装置の雨水流入部の近傍に配置された箱状ユニットに前記点検穴を設け、これら以外の箱状ユニットに前記通水穴を設けたことを特徴とする請求項１〜３のいずれか１項に記載の雨水貯留装置。
【請求項５】
前記点検穴及び通水穴の形状を略円形状にしたことを特徴とする請求項１〜４のいずれか１項に記載の雨水貯留装置。
【発明の詳細な説明】
【０００１】
【発明の属する技術分野】
本発明は、雨水貯留装置に関し、更に詳しくは、雨水を貯留する箱状ユニットの内部の清掃、補修及び各種点検作業が容易な雨水貯留装置に関する。
【０００２】
【従来の技術】
従来から、激しい降雨時に河川への急激な雨水流入を抑制及び調整するために雨水貯留装置が用いられている。この雨水貯留装置は、地中に集水槽を埋設し、その内部に雨水を集水して貯留するものである（例えば、特許文献１参照）。
【０００３】
【特許文献１】
特開２００２−３１７４８６公報
【０００４】
【発明が解決しようとする課題】
しかしながら、前記従来の雨水貯留装置においては、集水槽に小さな通水穴が形成されているのみであるため、集水槽内に溜まったゴミや土壌等を除去する作業を行うことが非常に困難であった。また、集水槽の上面に大きな点検穴を開口することも考えられるが、通水穴以外に点検穴を形成すると、集水槽の強度が低下するおそれがあり、また点検穴と通水穴の開口作業によって製造コストが増大した。
【０００５】
そこで、本発明は、強度を維持しつつ、集水槽の清掃や点検を容易に行うことができる雨水貯留装置を提供することを目的とする。
【０００６】
【課題を解決するための手段】
前記請求項１に記載された雨水貯留装置は、地盤を掘削して得られた設置穴の底面に配設され、複数の箱状ユニットを互いに組み合わせた集水槽からなる雨水貯留装置であって、前記箱状ユニットの側面に、作業員が通れる程度以上の径を有する点検穴を設けたことを特徴とする。
【０００７】
前記請求項２に記載された雨水貯留装置においては、前記請求項１に記載された雨水貯留装置であって、前記点検穴は、箱状ユニットの側面の下部に設けられたことを特徴とする。
【０００８】
前記請求項３に記載された雨水貯留装置は、前記請求項１又は２に記載の雨水貯留装置であって、前記複数の箱状ユニットのうち、一部の箱状ユニットの側面には前記点検穴を設ける一方、他の箱状ユニットの側面には、この点検穴よりも小さな径を有する通水穴を設けたことを特徴とする。
【０００９】
前記請求項４に記載された雨水貯留装置は、前記請求項１〜３のいずれかに記載の雨水貯留装置であって、前記雨水貯留装置の雨水流入部の近傍に配置された箱状ユニットに前記点検穴を設け、これら以外の箱状ユニットに前記通水穴を設けたことを特徴とする。
【００１０】
前記請求項５に記載された雨水貯留装置は、前記請求項１〜４のいずれかに記載の雨水貯留装置であって、前記点検穴及び通水穴の形状を略円形状にしたことを特徴とする。この略円形状には、真円の他、楕円も含まれる。
【００１１】
【発明の効果】
前記請求項１に記載の雨水貯留装置によれば、前記集水槽を構成する前記箱状ユニットの側面に、作業員が通過可能な大きさを有する点検穴を設けているため、作業員が集水槽の点検や清掃を効率的に行うことができる。また、この点検穴が通水穴の機能も兼ね備えるため、箱状ユニットに開口する穴の面積を最小限度に抑えつつ、通水機能と点検機能との双方を有する。なお、点検穴の大きさや形状は特に限定されないが、好ましくは直径約６０ｃｍ程度の円形穴が好ましい。この程度の大きさであれば、通常の点検作業において、作業員が箱状ユニット同士を互いに行き来することが可能であり、また、円形の形状は、上部側に配置された土壌部分から入力される荷重に対して強度的に有利となる。なお、前記集水槽を複数の箱状ユニットから構成すれば、集水槽に入力する荷重が分散されるため、一つの箱状ユニットから構成するよりも強度的に有利になる。
【００１２】
前記請求項２に記載の雨水貯留装置によれば、前記点検穴は、箱状ユニットの側面の下部に設けられているため、通水穴としても点検穴としても効率的な位置に配置されている。即ち、一つの箱状ユニット内に貯留した雨水が、隣の箱状ユニット内に流れる場合、通水穴同士を介して流入するが、点検穴を側面の下部に形成しておけば、雨水が点検穴を介して流入しやすくなる。一方、作業員が点検穴を介して隣の箱状ユニット内に移動する際にも、側面の下部に配置されている方が移動しやすくなる。
【００１３】
前記請求項３に記載の雨水貯留装置によれば、一部の箱状ユニットの側面には前記点検穴を設ける一方、他の箱状ユニットの側面には、この点検穴よりも小さな通水穴を設けているため、全ての箱状ユニットに点検穴を設けるよりも開口面積の合計が小さくなり、箱状ユニットの強度が大きくなる。つまり、雨水貯留装置のうち、点検穴が必要な範囲の箱状ユニットにのみ点検穴を設け、点検穴をあまり必要としない範囲の箱状ユニットには小さな通水穴を形成すれば良い。
【００１４】
前記請求項４に記載の雨水貯留装置によれば、雨水流入部の近傍に配置された箱状ユニットに前記点検穴を設けているため、最もゴミや土壌の溜まりやすい範囲の箱状ユニットのみに点検穴を設けることができ、点検穴の数量を必要最小限度に抑えることができる。通常、雨水流入部には、道路の側溝や地面からの雨水が流れ込むが、この雨水が最も土壌やゴミを多く含んでいる。従って、雨水流入部の近傍に配置された箱状ユニットに点検穴を設けることが最も効率的となる。
【００１５】
前記請求項５に記載の雨水貯留装置によれば、前記点検穴及び通水穴の形状を略円形状にしているため、上部側の地表面からかかる荷重に対して強度的に有利となる。
【００１６】
【発明の実施の形態】
以下、本発明の一実施形態を図面と共に詳述する。
【００１７】
［第１の実施形態］
図１は本実施形態による雨水貯留装置１０を地中に埋設した状態を示す断面図である。後述するように、この雨水貯留装置１０の集水槽１４を構成する第１の箱状ユニット１７及び第２の箱状ユニット１８の全ての側面１９，２５には、略同一径の点検穴２６が設けられている。
【００１８】
雨水貯留装置１０は、土壌１１を掘削して得られた設置穴１２の凹部表面に設けられた遮水層１３と、該遮水層１３の底面及び側面の内方側に設けられた集水槽１４と、該集水槽１４の上部側に配設した保護層１５と、前記集水槽１４中に挿通され、その内部を雨水等が流れる流入管１６とを備えている。
【００１９】
前記設置穴１２は、土壌１１を通常の工法によって掘削した、略直方体状に形成された穴であり、住宅や学校等の建設物の近傍に設けられている。
【００２０】
前記遮水層１３は、前記設置穴１２の底面及び側面の内側に沿って形成され、貯留した雨水を土壌１１に流出させないために設けられている。
【００２１】
また、集水槽１４の上部に設けられる保護層１５は、土、砂利、コンクリートまたはアスファルト等から構成されている。
【００２２】
集水槽１４は、互いに隣接して配置された第１の箱状ユニット１７及び第２の箱状ユニット１８から構成されており、これらの箱状ユニット１７，１８は側面１９，２５同士が、後述する手段によって互いに結合されている。また、流入管１６には住宅の屋根等を伝わって集められた雨水が流れ、第２の箱状ユニット１８に流れ込むように構成されている。なお、本実施形態では、上下方向に１段の箱状ユニット１７，１８を配設したが、複数段に亘って配置しても良い。
【００２３】
図２は、本実施形態による集水槽１４を上側から見た平面図である。本実施形態による集水槽１４は、このように左右に複数に亘って配置された箱状ユニット１７，１８から構成されている。この集水槽１４において、第２の箱状ユニット１８が雨水が流入する雨水流入部２０となっており、流入管１６から流れ込んだ雨水は、この雨水流入部２０から隣接する箱状ユニット１７に放射状に流れ込む。
【００２４】
また、前記第２の箱状ユニット１８は、図３と図４に示す構造に形成されている。この第２の箱状ユニット１８は、下部側に配置された箱状ユニット本体部２１と、該箱状ユニット本体部２１の上部に載置され、出入穴２２が開口して設けられたフタ２３とから構成されている。
【００２５】
前記箱状ユニット本体部２１は、図３及び図４に示すように直方体状に形成されており、略正方形状の底面２４及び四方を取り囲む４枚の側面２５からなる。この側面２５の下部には、作業員が四つん這いになって通過できる程度の径を有する円形の点検穴２６が開口している。点検穴２６は４枚全ての側面２５に設けても良く、対向する２枚のみに設けても良い。また、点検穴２６の形状が真円の場合は、第２の箱状ユニット１８に入力される荷重に対して強度的に有利となるため好ましいが、真円以外にも楕円でも良い。更に、あまり雨水貯留装置１０に大きな重量がかからない場合は、点検穴２６の形状を矩形状や多角形状にしても良い。また、点検穴２６の位置は、下部に設けた方が作業員が効率的に隣の箱状ユニット１７に移動することができる。通常の移動の場合は、作業員が四つん這いになった状態で移動作業を行うため、点検穴２６の位置はできるだけ下側に配置されている方が好ましく、穴の大きさも通常の大人の作業員が通過可能な程度、例えば直径５０〜８０ｃｍの真円が好ましい。なお、この箱状ユニット本体部２１は合成樹脂で一体成形しても良く、合成樹脂で成形した側面２５同士を互いに結合させても良い。
【００２６】
そして、前記フタ２３には、上方に向けて円筒状の出入穴２２が延設されており、この出入穴２２から作業員が第２の箱状ユニット１８の内部に入ることができる。また、フタ２３の材質は、本実施形態においてはコンクリートを用いているため強度的に剛性の高いものとなっているが、コンクリート以外の材質も適用できる。さらに、出入穴２２は、上端の径が最も小さく下方にいくにつれて徐々に大きく形成されている。この場合も、上端の径は、作業員が通れるように、例えば直径５０〜８０ｃｍが好ましい。
【００２７】
図５に示すように、第１の箱状ユニット１７は、箱状ユニット本体部２７とフタ２８とからなる。この箱状ユニット本体部２７は図３に示した箱状ユニット本体部２１と同一形状及び同一構造に構成されている。しかし、フタ２８は点検穴等が開口していない平板であり、第２の箱状ユニット１８と同様にコンクリート製である。フタ２８の外周は段部２９に形成されており、この段部２９の部分が箱状ユニット本体部２７の側面１９の上端３１に載置されている。
【００２８】
前記第１実施形態の雨水貯留装置１０によれば、第１の箱状ユニット１７及び第２の箱状ユニット１８の全てに略同一径の点検穴２６が開口しているため、点検穴２６を介して作業員が集水槽１４の清掃や点検作業を効率的に行うことができる。例えば、図２において左端の第２の箱状ユニット１８の出入穴２２から作業員が入ったのち、一点鎖線の矢印Ｗのように右端の第２の箱状ユニット１８に向けて移動して右端の第２の箱状ユニット１８にて折り返し、更に左方向に移動することによって非常に効率的に点検作業等を全ての箱状ユニット１７，１８にて行うことができる。
【００２９】
［第２の実施形態］
次いで、第２の実施形態を説明するが、前述した第１の実施形態と同一部分については、同一符号を付して説明を省略する。
【００３０】
第２の実施形態では、雨水流入部の近傍に配置された箱状ユニットにのみ点検穴を設け、これら以外の箱状ユニットには点検穴よりも小さな通水穴を設けている。
【００３１】
図７は、第２の実施形態による集水槽４４を示す平面図である。同図の右端と左端には、雨水流入部４０となる第３の箱状ユニット４８が配置されており、太線で囲んだ第３の箱状ユニット４８の近傍部Ｉには第４の箱状ユニット６２が配置されている。また、第３の箱状ユニット４８の近傍部Ｉ以外には、第５の箱状ユニット６３が配設されている。
【００３２】
前記第３の箱状ユニット４８は、第１の実施形態で説明した第２の箱状ユニット１８と同一材質及び同一構造を有しており、第４の箱状ユニット６２も第１の箱状ユニット１７と同一材質及び同一構造を有している。即ち、第３の箱状ユニット４８及び第４の箱状ユニット６２には、図３と図５に示したものと同様に、それらの側面の下部に点検穴２６が形成されている。
【００３３】
そして、前記第５の箱状ユニット６３には、図８に示すように、通水穴６４が側面６５の下部に穿設されている。この通水穴６４は、前記点検穴２６よりも小さく、例えば２０ｃｍ程度が好ましく、単に雨水を隣の箱状ユニット６３に流通させるために設けられている。なお、図９に示すように、第５の箱状ユニット６３の上部に設けられるフタ６６は、第１の箱状ユニット１７のフタ２８と同一材質及び同一構造に構成されている。
【００３４】
前記第２の実施形態によれば、図７に示すように、作業者は出入穴２２から第３の箱状ユニット４８の内部に入り、一点鎖線Ｙに沿って右方向と左方向にジグザグ状に折り返しながら第３の箱状ユニット４８の近傍部Ｉ内に含まれる箱状ユニット４８，６２内を通過することができる。集水槽４４を構成する箱状ユニットのうち、最もゴミや土壌が溜まるのは、雨水流入部５０の近傍部Ｉであるため、これらの範囲に配置された第３及び第４の箱状ユニット４８，６２に点検穴２６を設けている。よって、点検穴２６を必要な範囲の箱状ユニットのみに設けることによって、開口による箱状ユニットの強度低下を極力抑制することができる。
【００３５】
また、この第３の箱状ユニット４８の近傍部Ｉ以外の範囲には、通水穴６４が設けられた第５の箱状ユニット６３が配置されているため、集水槽４４の全体に亘って雨水を流通させることができ、集水槽４４内に効率的に雨水を貯留させることができる。
【００３６】
なお、図１０に示すように、箱状ユニット５１同士を結合させる場合、側面５２の点検穴２６と同一径の穴を設けた止水材５３を用いて流水を防止して密閉性を保持しつつ、効率的に結合させることができる。この止水材５３は、例えばゴム等の弾性材であり、点検穴２６の周囲に配置し、この状態で側面同士５２，５２を押しつけ、図外のボルトを用いて、互いに結合させることができる。
【００３７】
以上述べたように、本発明の雨水貯留装置は、第１及び第２実施形態に例をとって説明したが、これらの各実施形態に限定されるものではなく、本発明の要旨を逸脱しない範囲で各種実施形態を採用することができる。
【図面の簡単な説明】
【図１】本発明の第１実施形態による雨水貯留装置を示す断面図である。
【図２】図１の集水槽を示す平面図である。
【図３】第２の箱状ユニットを示す断面図である。
【図４】第２の箱状ユニットを示す平面図である。
【図５】第１の箱状ユニットを示す断面図である。
【図６】第１の箱状ユニットを示す平面図である。
【図７】第２の実施形態による集水槽を示す平面図である。
【図８】第３の箱状ユニットを示す断面図である。
【図９】第３の箱状ユニットを示す平面図である。
【図１０】箱状ユニット同士を結合する状態を示す断面図である。
【符号の説明】
Ｉ…近傍部
１０…雨水貯留装置
１２…設置穴
１７…第１の箱状ユニット（箱状ユニット）
１８…第２の箱状ユニット（箱状ユニット）
２０…雨水流入部
２５，３０，５２，６５…側面
２６…点検穴
４８…第３の箱状ユニット（箱状ユニット）
５１，６３…箱状ユニット
６２…第４の箱状ユニット（箱状ユニット）
６３…第５の箱状ユニット（箱状ユニット）
６４…通水穴
【図１】
2004263519.tif 000003
【図２】
2004263519.tif 000004
【図３】
2004263519.tif 000005
【図４】
2004263519.tif 000006
【図５】
2004263519.tif 000007
【図６】
2004263519.tif 000008
【図７】
2004263519.tif 000009
【図８】
2004263519.tif 000010
【図９】
2004263519.tif 000011
【図１０】
2004263519.tif 000012